(57)【要約】【課題】重箱等の被包装部材を包んで持ち運ぶ際に、相互がずれにくいおびつつみを提供する。【解決手段】被包装部材１０の底部を覆う底覆い部２を有し、底覆い部２の両側部に夫々側部覆い部３を設け、各側部覆い部３における前記底覆い部２側と反対側に夫々結び部４を設け、底覆い部２と側部覆い部３と結び部４をシート状部材で一体に形成し、側部覆い部２と結び部４に亘って、切れ込み９を形成した。切れ込み９を、シート状部材の長手方向に形成するとよい。【選択図】  図４
2020179857.tif 000002
【特許請求の範囲】
【請求項１】
被包装部材の底部を覆う底覆い部を有し、該底覆い部の両側部に夫々側部覆い部を設け、各側部覆い部における前記底覆い部側と反対側に夫々結び部を設け、
前記底覆い部と前記側部覆い部と前記結び部をシート状部材で一体に形成し、
前記側部覆い部と前記結び部に亘って、切れ込みを形成したことを特徴とするおびつつみ。
【請求項２】
前記切れ込みをシート状部材の長手方向に形成したことを特徴とする請求項１記載のおびつつみ。
【発明の詳細な説明】
【技術分野】
【０００１】
本発明は、おびつつみに関する。
【背景技術】
【０００２】
従来、料理等を入れる重箱等を風呂敷で包むには手間がかかるため、不織布若しくは布等で長方形状に形成されたシート状の部材の中央に重箱を載置し、重箱の左右に位置するシート状の部材を上方に折り曲げて重箱の側面を覆った後に、シート状の端部同士を重箱の上部で結んで、簡易に包装することが行われている。
【発明の概要】
【発明が解決しようとする課題】
【０００３】
上記のシート状の部材を用いて、重箱を簡易に包装した状態で、結び合わせたシート状の部材を掴んで持ち運ぶ際に、重箱は、シート状の部材により一対の側部のみ覆われ、それに直交する他の一対の側部は覆われていないため、重箱が、シート状の部材に対してずれる虞がある。
【０００４】
そこで本発明は、重箱等の被包装部材を包んで持ち運ぶ際に、ずれにくいおびつつみを提供することを目的とするものである。
【課題を解決するための手段】
【０００５】
前記の課題を解決するために、請求項１記載の発明は、被包装部材の底部を覆う底覆い部を有し、該底覆い部の両側部に夫々側部覆い部を設け、各側部覆い部における前記底覆い部側と反対側に夫々結び部を設け、
前記底覆い部と前記側部覆い部と前記結び部をシート状部材で一体に形成し、
前記側部覆い部と前記結び部に亘って、切れ込みを形成したことを特徴とするものである。
【０００６】
また、請求項２記載の発明は、請求項１記載の発明において、前記切れ込みをシート状部材の長手方向に形成したことを特徴とするものである。
【発明の効果】
【０００７】
本発明によれば、被包装部材の底部を覆う底覆い部を有し、底覆い部の両側部に夫々側部覆い部を設け、各側部覆い部における底覆い部側と反対側に夫々結び部を設け、底覆い部と側部覆い部と結び部をシート状部材で一体に形成し、側部覆い部と前記結び部に亘って、切れ込みを形成したことにより、被包装部材を、おびつつみに対して位置決めでき、相対的にずれることを抑制できる。
【図面の簡単な説明】
【０００８】
【図１】本発明の実施例に係るおびつつみの上面図。
【図２】図１の斜視図。
【図３】図２の切れ込み部分の拡大図。
【図４】図１のおびつつみの上面に重箱を載置した状態の斜視図。
【図５】図４の状態から重箱を包んだ状態の斜視図。
【図６】図５の重箱とは高さの異なる重箱を包んだ状態の斜視図。
【発明を実施するための形態】
【０００９】
本発明を実施するための形態を図に基づいて説明する。
【００１０】
図１は、本発明のおびつつみ１の上面図、図２は、その斜視図である。
【００１１】
おびつつみ１は、図５，図６に示すように、重箱等の方形の箱状に形成された被包装部材１０を、その外周面の一部を包んで使用するものである。本実施例では、被包装部材１０として重箱を用いた。
【００１２】
おびつつみ１は、図１，図２に示すように、方形状の底覆い部２を有し、この底覆い部２の左右両側部には、夫々側部覆い部３，３が連接され、各側部覆い部３における底覆い部２側と反対側には、夫々結び部４，４が連接されている。底覆い部２と側部覆い部３，３と結び部４，４は、不織布、布、紙等のシート状の部材で一体に形成され、本実施例では不織布で長手状に形成した。以下において、図１の左右方向の長手方向を軸方向（Ｘ−Ｘ方向）、図１の上下方向の短手方向を幅方向（Ｙ−Ｙ方向）として説明する。
【００１３】
側部覆い部３は、図１に示すように、底覆い部２側から結び部４に向かう程、その幅方向（Ｙ−Ｙ方向）の幅が広くなるように形成されている。
【００１４】
結び部４は、図１に示すように、側部覆い部３側から側部覆い部３と反対側の外側に向かう程、その幅方向（Ｙ−Ｙ方向）の幅が狭くなるように形成されている。
【００１５】
各側部覆い部３の軸方向（Ｘ−Ｘ方向）の外側部における幅方向（Ｙ−Ｙ方向）の両側部には、図１，図３に示すように、夫々表裏を貫通する円状の穴６，６が形成されている。また、各結び部４の軸方向（Ｘ−Ｘ方向）の内側部における幅方向（Ｙ−Ｙ方向）の両側部には、夫々表裏を貫通する円状の穴７，７が形成されている。
【００１６】
最も近接する側部覆い部３の穴６と結び部４の穴７との間には、表裏を貫通する切れ込み９が、穴６，７に連通して形成されている。各切れ込み９は、図１に示すように、軸方向（Ｘ−Ｘ方向）と略平行に形成されている。
【００１７】
次に、おびつつみ１の使用方法について説明する。
【００１８】
重箱等の箱状の被包装部材１０を、図４に示すように、おびつつみ１の底覆い部２の上部に載置し、底覆い部２により、被包装部材１０の底部を覆う。
【００１９】
次に、左右の側部覆い部３，３を、夫々、上方に持ち上げて、左右の側部覆い部３，３により、被包装部材１０の両側部を覆うとともに、図５に示すように、切れ込み９内に、被包装部材１０の上端部の角部が位置するようにする。
【００２０】
次に、図５に示すように、結び部４，４同士を結び合わせて、被包装部材１０を、その一部が露出するようにして包む。
【００２１】
これにより、被包装部材１０は、図５に示すように、一部が露出しているが、４つの切れ込み９内に、被包装部材１０の上端部の角部が夫々位置して係合していることにより、図５のように、被包装部材１０を覆い包んだ状態で、結び目等を持って持ち運んだ際に、被包装部材１０が、おびつつみ１に対して所定の位置に保持され、ずれることを抑制できる。
【００２２】
また、図６に示すように、被包装部材１０の高さが異なった際にも、切り込み９が、軸方向（Ｘ−Ｘ方向）と略平行に形成されていることにより、切れ込み９に対する、被包装部材１０における上端部の角部の位置が変化することで対応でき、おびつつみ１に対する部材１０のずれを抑制できる。
【００２３】
なお、上記実施例においては、被包装部材１０を、方形の箱状に形成したが、上端部に角部が４つ以上形成されていれば、任意の形状とすることができる。また、被包装部材１０の形状に合わせて、おびつつみの形状も任意に形成することができるとともに、被包装部材１０の上端部の形状に対応するように、おびつつみに形成する切り込み９の位置と、軸方向（Ｘ−Ｘ方向）に対する角度を設定する。
【符号の説明】
【００２４】
１  おびつつみ
２  底覆い部
３  側部覆い部
４  結び部
９  切れ込み
１０  被包装部材
【図１】
2020179857.tif 000003
【図２】
2020179857.tif 000004
【図３】
2020179857.tif 000005
【図４】
2020179857.tif 000006
【図５】
2020179857.tif 000007
【図６】
2020179857.tif 000008